(57)【要約】      （修正有）【課題】太陽電池ストリングにおいて、地絡事故が発生した位置を容易に検出することができる装置を提供する。【解決手段】地絡位置検出装置１００は、太陽電池ストリング１０の正極側２及び負極側３の両端子の何れかの端子に接続する第１測定端子１０１と、接地させる接地端子１０２と、抵抗値が異なる第１抵抗１７１及び第２抵抗１７２と、第１抵抗を介して接地するか、第２抵抗を介して接地するかを切り替えるスイッチ部１１０と、第１抵抗を介して接地した場合に当該第１抵抗に流れる第１電流を検出するとともに、第２抵抗を介して接地した場合に当該第２抵抗に流れる第２電流を検出する電流検出部１２０と、第１測定端子と接地端子との間の電圧を検出する電圧検出部１３０と、第１測定端子と接地端子との間の電圧、第１電流、及び第２電流に基づいて、太陽電池ストリングにおいて地絡事故が発生した位置を検出するコントローラ部１４０と、を備える。【選択図】図１
2016103918.tif 000002
【特許請求の範囲】
【請求項１】
複数の太陽電池パネルが直列に接続される太陽電池ストリングの正極側及び負極側の両端子の何れか一方の端子に接続する第１測定端子と、
アースに接地させる接地端子と、
互いに抵抗値が異なる第１抵抗及び第２抵抗と、
前記第１測定端子を前記第１抵抗を介して前記接地端子に接続するか、又は、前記第１測定端子を前記第２抵抗を介して前記接地端子に接続するかを切り替えるスイッチ部と、
前記第１測定端子を前記第１抵抗を介して前記接地端子に接続した場合に当該第１抵抗に流れる第１電流を検出するとともに、前記第１測定端子を前記第２抵抗を介して前記接地端子に接続した場合に当該第２抵抗に流れる第２電流を検出する電流検出部と、
前記第１測定端子と前記接地端子との間の電圧を検出する電圧検出部と、
前記スイッチ部の切替え動作を制御するとともに、前記第１測定端子と前記接地端子との間の電圧、前記第１電流、及び前記第２電流に基づいて、前記太陽電池ストリングにおいて地絡事故が発生した位置を検出する制御部と、
を備えることを特徴とする地絡位置検出装置。
【請求項２】
前記制御部は、
前記第１抵抗の抵抗値、前記第２抵抗の抵抗値、前記第１電流の電流値、及び前記第２電流の電流値に基づいて、前記太陽電池ストリングにおける地絡抵抗の値を算出する
ことを特徴とする請求項１に記載の地絡位置検出装置。
【請求項３】
前記太陽電池ストリングの正極側及び負極側の両端子の他方の端子に接続する第２測定端子をさらに備え、
前記電圧検出部は、
前記第１測定端子と前記接地端子との間の電圧を検出するとともに、
前記第２測定端子と前記第１測定端子との間の電圧を検出し、
前記制御部は、
前記第２測定端子と前記第１測定端子との間の電圧、前記第１測定端子と前記接地端子との間の電圧、前記第１電流、及び前記第２電流に基づいて、前記太陽電池ストリングにおいて地絡事故が発生した位置を検出する
ことを特徴とする請求項１又は請求項２に記載の地絡位置検出装置。
【請求項４】
複数の太陽電池パネルが直列に接続される太陽電池ストリングの正極側及び負極側の両端子の何れか一方の端子に第１測定端子を接続するステップと、
接地端子をアースに接地させるステップと、
前記第１測定端子を第１抵抗を介して前記接地端子に接続するか、又は、前記第１測定端子を前記第１抵抗とは互いに抵抗値が異なる第２抵抗を介して前記接地端子に接続するかをスイッチ部により切り替えるステップと、
前記第１測定端子を前記第１抵抗を介して前記接地端子に接続した場合に当該第１抵抗に流れる第１電流を検出するとともに、前記第１測定端子を前記第２抵抗を介して前記接地端子に接続した場合に当該第２抵抗に流れる第２電流を検出する電流検出ステップと、
前記第１測定端子と前記接地端子との間の電圧を検出する電圧検出ステップと、
前記スイッチ部の切替え動作を制御するとともに、前記第１測定端子と前記接地端子との間の電圧、前記第１電流、及び前記第２電流に基づいて、前記太陽電池ストリングにおいて地絡事故が発生した位置を検出する制御ステップと、
を含むことを特徴とする地絡位置検出方法。
【発明の詳細な説明】
【技術分野】
【０００１】
本発明は、複数の太陽電池パネルが直列に接続された太陽電池ストリングにおいて、地絡事故が発生した位置を検出する、地絡位置検出装置、及び地絡位置検出方法に関する。
【背景技術】
【０００２】
太陽光発電装置は、多数の太陽電池セルにより構成された太陽電池パネルを複数備え、その複数の太陽電池パネルを直列に接続することにより、所望の発電電力を出力する太陽電池ストリングを有している。
ところで、このような太陽電池ストリングにおいて、地絡事故が発生した場合、その地絡事故が発生した位置や、地絡事故が発生した太陽電池パネルを速やかに検出して対処する必要がある。
なお、関連する電池システムがある（特許文献１を参照）。この特許文献１に記載の電池システムは、直列且つ複数の電池セルが接続された電池ユニットにおいて、地絡が生じた場合に、複数の電池セルの中から地絡箇所を判定する。
この特許文献１の電池システムは、複数の電池セルが直列に接続された電池部において、主電流が流れる電流経路上で電位が異なる第一の電位点及び第二の電位点をそれぞれ地絡検出用の地絡検出抵抗器を介して交互に接地する接地部と、第一の電位点を接地したときに地絡検出抵抗器に流れる第一の電流と、第二の電位点を接地したときに地絡検出抵抗器に流れる第二の電流とをそれぞれ計測する計測部と、第一の電流及び第二の電流に基づいて、電池部のうち地絡を生じた地絡箇所を判定する判定部と、を備える。
【先行技術文献】
【特許文献】
【０００３】
【特許文献１】特開２０１３−１３４１２０号公報
【発明の概要】
【発明が解決しようとする課題】
【０００４】
ところで、太陽電池パネルの複数枚が直列に接続された太陽電池ストリングにおいて、絶縁試験や漏電警報器等により太陽電池ストリングの地絡事故や対地絶縁不良が検出された場合、太陽電池ストリングの管理者は、太陽電池パネルのガラス面の破損等が視認できる場合を除いて、太陽電池ストリングのどの位置で地絡事故が発生しているかを容易には判別できない。
このような場合に、管理者は、地絡位置検出装置を用いて、太陽電池ストリングのどの位置で地絡事故が発生しているかを検出する必要がある。この地絡位置検出装置には、特許文献１に記載された方法を用いることができる。特許文献１に記載の方法を地絡位置検出装置に用いる場合、地絡位置検出装置は、太陽電池ストリングにおいて電位が異なる第一の電位点及び第二の電位点のそれぞれを地絡検出抵抗器を介して交互に接地して、地絡検出抵抗器に流れる第一の電流と、第二の電流とに基づいて、地絡を生じた地絡箇所を判定することになる。
【０００５】
しかしながら、太陽電池ストリングの設置スペースは、広大であることが多い。このため、太陽電池ストリングの地絡位置検出装置に特許文献１に記載の方法を用いるとした場合、測定者は、太陽電池ストリングの離隔した位置にある２箇所の電位点まで計測用の配線を長く引き回すことが必要になる。このため、測定者は、測定を行う際の配線作業に多くの時間を取られるとともに、太陽電池ストリング上の２箇所の電位点を適切に選択することに、煩わしい思いをすることがある。
【０００６】
本発明は、斯かる実情に鑑みてなされたものであり、本発明の目的は、複数の太陽電池パネルが直列に接続された太陽電池ストリングにおいて、地絡事故が発生した位置を容易に検出することができる、地絡位置検出装置、及び地絡位置検出方法を提供することにある。
【課題を解決するための手段】
【０００７】
この発明は、上述した課題を解決するためになされたものであり、本発明の地絡位置検出装置は、複数の太陽電池パネルが直列に接続される太陽電池ストリングの正極側及び負極側の両端子の何れか一方の端子に接続する第１測定端子と、アースに接地させる接地端子と、互いに抵抗値が異なる第１抵抗及び第２抵抗と、前記第１測定端子を前記第１抵抗を介して前記接地端子に接続するか、又は、前記第１測定端子を前記第２抵抗を介して前記接地端子に接続するかを切り替えるスイッチ部と、前記第１測定端子を前記第１抵抗を介して前記接地端子に接続した場合に当該第１抵抗に流れる第１電流を検出するとともに、前記第１測定端子を前記第２抵抗を介して前記接地端子に接続した場合に当該第２抵抗に流れる第２電流を検出する電流検出部と、前記第１測定端子と前記接地端子との間の電圧を検出する電圧検出部と、前記スイッチ部の切替え動作を制御するとともに、前記第１測定端子と前記接地端子との間の電圧、前記第１電流、及び前記第２電流に基づいて、前記太陽電池ストリングにおいて地絡事故が発生した位置を検出する制御部と、を備えることを特徴とする。
【０００８】
また、上記地絡位置検出装置において、前記制御部は、前記第１抵抗の抵抗値、前記第２抵抗の抵抗値、前記第１電流の電流値、及び前記第２電流の電流値に基づいて、前記太陽電池ストリングにおける地絡抵抗の値を算出することを特徴とする。
【０００９】
また、上記地絡位置検出装置において、前記太陽電池ストリングの正極側及び負極側の両端子の他方の端子に接続する第２測定端子をさらに備え、前記電圧検出部は、前記第１測定端子と前記接地端子との間の電圧を検出するとともに、前記第２測定端子と前記第１測定端子との間の電圧を検出し、前記制御部は、前記第２測定端子と前記第１測定端子との間の電圧、前記第１測定端子と前記接地端子との間の電圧、前記第１電流、及び前記第２電流に基づいて、前記太陽電池ストリングにおいて地絡事故が発生した位置を検出することを特徴とする。
【００１０】
また、本発明の地絡位置検出方法は、複数の太陽電池パネルが直列に接続される太陽電池ストリングの正極側及び負極側の両端子の何れか一方の端子に第１測定端子を接続するステップと、接地端子をアースに接地させるステップと、前記第１測定端子を第１抵抗を介して前記接地端子に接続するか、又は、前記第１測定端子を前記第１抵抗とは互いに抵抗値が異なる第２抵抗を介して前記接地端子に接続するかをスイッチ部により切り替えるステップと、前記第１測定端子を前記第１抵抗を介して前記接地端子に接続した場合に当該第１抵抗に流れる第１電流を検出するとともに、前記第１測定端子を前記第２抵抗を介して前記接地端子に接続した場合に当該第２抵抗に流れる第２電流を検出する電流検出ステップと、前記第１測定端子と前記接地端子との間の電圧を検出する電圧検出ステップと、前記スイッチ部の切替え動作を制御するとともに、前記第１測定端子と前記接地端子との間の電圧、前記第１電流、及び前記第２電流に基づいて、前記太陽電池ストリングにおいて地絡事故が発生した位置を検出する制御ステップと、を含むことを特徴とする。
【発明の効果】
【００１１】
本発明では、複数の太陽電池パネルが直列に接続された太陽電池ストリングにおいて、地絡事故が発生した位置を容易に検出することができる。
【図面の簡単な説明】
【００１２】
【図１】本発明の第１実施形態に係る地絡位置検出装置１００の構成を示す構成図である。
【図２】地絡位置検出装置１００における地絡事故の発生位置の検出方法を示す説明図である。
【図３】第１測定端子１０１をストリング１のＰ相端子２に接続する例を示す説明図である。
【図４】コントローラ部１４０のハードウェア構成の一例を示す構成図である。
【図５】コントローラ部１４０の機能構成の一例を示す構成図である。
【図６】コントローラ部１４０が地絡事故が発生した位置を検出する処理の流れの一例を示すフローチャートである。
【図７】本発明の第２実施形態に係わる地絡位置検出装置１００Ａの構成を示す構成図である。
【図８】本発明の第３実施形態に係わる地絡位置検出装置１００Ｂの構成を示す構成図である。
【図９】コントローラ部１４０Ｂの機能構成の一例を示す構成図である。
【図１０】コントローラ部１４０Ｂが地絡事故が発生した位置を検出する処理の流れの一例を示すフローチャートである。
【発明を実施するための形態】
【００１３】
以下、本発明の実施の形態を添付図面を参照して説明する。
【００１４】
［第１実施形態］
図１は、本発明の第１実施形態に係る地絡位置検出装置１００の構成を示す構成図である。この地絡位置検出装置１００は、複数の太陽電池パネル（photovoltaic panel）が直列に接続された太陽電池ストリングにおいて地絡事故（或いは、対地絶縁不良）が発生した位置や、地絡事故が発生した太陽電池パネルを検出する装置である。
【００１５】
なお、以下の説明において、太陽電池ストリングを、単に「ストリング」と呼ぶことがあり、また、太陽電池パネルを、「ＰＶパネル」と呼ぶことがある。また、「地絡事故が発生した位置」と言う場合は、ＰＶパネルに地絡事故が発生している場合の当該ＰＶパネルの位置を指す他、ＰＶパネルの周辺回路（例えば、ＰＶパネルに接続される電源接続線等）に地絡事故が発生している場合の当該周辺回路の位置を指すことがある。
【００１６】
図１に示すように、ストリング（太陽電池ストリング）１は、複数のＰＶパネル（太陽電池パネル）１１、１２、・・・、１ｎを直列に接続することにより構成されている。また、ＰＶパネル１１、１２、・・・、１ｎは、それぞれ、所定個数の太陽電池セルを含んで構成されている。なお、本実施形態では、ＰＶパネル１１、１２、・・・、１ｎを総称する場合に、ＰＶパネル１０と呼ぶことがある。
【００１７】
ストリング１の発電電力の給電線Ｌｐ及び給電線Ｌｎのそれぞれは、開閉器３１及び開閉器３２を介して、パワーコンディショナ（以下、単に「ＰＣＳ」と呼ぶ）２０に接続されている。つまり、ストリング１の正極（＋）側の出力端子であるＰ相端子２は、給電線Ｌｐ及び開閉器３１を介して、ＰＣＳ２０の＋側の入力端子に接続されている。また、ストリング１の負極（−）側の出力端子であるＮ相端子３は、給電線Ｌｎ及び開閉器３２を介して、ＰＣＳ２０の−側の入力端子に接続されている。
ＰＣＳ２０は、ストリング１から供給される直流の発電電力を、ＤＣ／ＡＣ変換回路を用いて交流電力に変換し、この変換した交流電力を商用系統などの電力系統へ出力する。
【００１８】
なお、ストリング１からＰＣＳ２０に電力を供給する給電線Ｌｐ及び給電線Ｌｎは、接続箱や中継箱等により中継されて配線されており、開閉器３１及び開閉器３２は、この接続箱や中継箱等に収納されている。
また、例えば、ＰＣＳ２０の−側の入力端子に繋がる負極側の電源線２１は、ＰＣＳ２０の内部においてアースＥに接地されている。そして、開閉器３２がＯＮ（導通状態）の場合に、ストリング１のＮ相端子３は、給電線Ｌｎと開閉器３２と電源線２１とを介して、ＰＣＳ２０内においてアースＥに接地される。
【００１９】
また、開閉器３１及び開閉器３２がＯＦＦ（非導通状態）の場合に、ストリング１の全体は、ＰＣＳ２０及びアースＥへの接続が開放されたフローティング状態になる。
なお、ストリング１をＰＣＳ２０との接続を遮断しても、ＰＶパネル１０の入射面に太陽光が照射されている場合には、ＰＶパネル１０自体は、継続して発電する。上記のように、ＰＣＳ２０との接続を遮断した場合には、ストリング１からＰＣＳ２０に電力は供給されない。
【００２０】
地絡位置検出装置１００は、ストリング１において地絡事故が発生した位置を検出する。地絡位置検出装置１００は、第１測定端子１０１と、接地端子１０２と、スイッチ部１１０と、電流検出部１２０と、電圧検出部１３０と、コントローラ部１４０と、抵抗（Ｒ）１７１（第１抵抗）と、抵抗（Ｒ）１７２（第２抵抗）と、を備えている。
なお、抵抗１７１と抵抗１７２とは、地絡位置検出に用いられ、互いに抵抗値が異なる。例えば、抵抗１７１の抵抗値Ｒ１は、抵抗１７２の抵抗値Ｒ２よりも小さいものとするが、逆であってもよい。
地絡位置検出装置１００の第１測定端子１０１は、テストリード１０１Ａを介して、ストリング１のＮ相端子３に接続される。接地端子１０２は、例えば、地中に打ち込んだアース棒等に接地線１０２Ａを介して接続され、アースＥに接地される。即ち、接地端子１０２は、アースＥの電位（接地電位）にされる。
【００２１】
スイッチ部１１０は、第１測定端子１０１を抵抗１７１を介して接地端子１０２に接続するか、又は、第１測定端子１０１を抵抗１７２を介して接地端子１０２に接続するかを切り替える。スイッチ部１１０は、切替スイッチＳＷを含んで構成されている。この切替スイッチＳＷは、共通接点（コモン接点）ｃと、a接点と、b接点との１ｃ接点で構成される。スイッチ部１１０は、切替スイッチＳＷの共通接点ｃと、接点ａと、接点ｂとの間の導通状態を、コントローラ部１４０から入力する制御信号ＣＮＴの指示内容に応じて切り替える。
この切替スイッチＳＷは、共通接点ｃと接点ａとがＯＮ（導通状態）になる場合に、共通接点ｃと接点ｂとがＯＦＦ（非導通状態）になり、共通接点ｃと接点ｂとがＯＮになる場合に、共通接点ｃと接点ａとがＯＦＦになる。
【００２２】
切替スイッチＳＷの共通接点ｃは、アース電位線ＧＬを介して、接地端子１０２に接続されており、接点ａは、抵抗１７１の一端に接続されている。抵抗１７１の他端は、負側の電圧線ＤＣＬＮを介して、第１測定端子１０１に接続されている。
また、切替スイッチＳＷの接点ｂは、抵抗１７２の一端に接続されており、抵抗１７２の他端は、負側の電圧線ＤＣＬＮを介して、第１測定端子１０１に接続されている。
このスイッチ部１１０の構成により、切替スイッチＳＷの共通接点ｃと接点ａとがＯＮになる場合に、抵抗１７１と接地端子１０２とが接続され、第１測定端子１０１は、抵抗１７１を介して、アースＥに接地される。また、切替スイッチＳＷの共通接点ｃと接点ｂとがＯＮになる場合に、抵抗１７２と接地端子１０２とが接続され、第１測定端子１０１は、抵抗１７２を介して、アースＥに接地される。
なお、図１では、スイッチ部１１０内の切替スイッチＳＷとして、機械式接点を用いたスイッチの例を示しているが、スイッチ部１１０は、ＩＧＢＴ（Insulated Gate Bipolar Transistor）等の半導体スイッチング素子を用いた半導体スイッチを含んで構成されていてもよい。
【００２３】
電流検出部１２０は、アース電位線ＧＬに流れる電流を、ホール素子等の電流センサ１２１により検出する。電流検出部１２０は、電流センサ１２１により検出した電流信号を増幅し、増幅した電流信号をＡ／Ｄ変換してデジタル値の電流検出信号Ｉｓを生成する。電流検出部１２０は、この電流検出信号Ｉｓをコントローラ部１４０に出力する。
【００２４】
電圧検出部１３０は、第１測定端子１０１と接地端子１０２との間の電圧ＶＮＥを検出する。なお、この電圧ＶＮＥは、電圧検出部１３０により、第１測定端子１０１と接地端子１０２との間の電位差の絶対値（＋電圧）として検出される。
この電圧検出部１３０は、電圧ＶＮＥを抵抗分圧回路等により分圧し、この分圧された電圧信号をＡ／Ｄ変換してデジタル値の電圧検出信号Ｖｓを生成する。電圧検出部１３０は、この電圧検出信号Ｖｓをコントローラ部１４０に出力する。
【００２５】
コントローラ部１４０は、地絡位置検出装置１００の全体を制御する。このコントローラ部１４０は、スイッチ部１１０に制御信号ＣＮＴを出力することにより、切替スイッチＳＷの共通接点ｃと、接点ａと、接点ｂとの間の導通状態を制御する。また、コントローラ部１４０は、電流検出部１２０から電流検出信号Ｉｓを入力することにより、抵抗１７１に流れる電流ＩＲ１と、抵抗１７１に流れる電流ＩＲ２と、の情報を取得する。また、コントローラ部１４０は、電圧検出部１３０から電圧検出信号Ｖｓを入力することにより、第１測定端子１０１と接地端子１０２との間の電圧ＶＮＥの情報を取得する。
そして、コントローラ部１４０は、抵抗１７１に流れる電流ＩＲ１と、抵抗１７２に流れる電流ＩＲ２と、第１測定端子１０１と接地端子１０２との間の電圧ＶＮＥと、に基づいて、ストリング１において、地絡事故が発生した位置を検出する。
なお、このコントローラ部１４０の詳細については、後述する。
【００２６】
また、図２は、地絡位置検出装置１００における地絡事故の発生位置の検出方法を示す説明図である。以下、地絡事故が発生した位置の検出方法について、図２を参照して説明する。
なお、ＰＶパネル１３の位置Ｅｐにおいて、地絡抵抗Ｒｇの地絡事故が発生しているものとする。また、ストリング１のＰＶパネル１０の直流抵抗成分ＰＲは、他の抵抗（地絡抵抗Ｒｇ、抵抗１７１、及び抵抗１７２）の抵抗値よりも著しく小さく、誤差の範囲内の成分であるため無視するものとする。
【００２７】
また、ストリング１において、「Ｎ相端子３」と「地絡事故が発生した位置Ｅｐ」との間の電位差の絶対値（＋電圧）を、単に「Ｎ−Ｅ電圧」と呼ぶことがある。また、「Ｐ相端子２」と「地絡事故が発生した位置Ｅｐ」との間の電位差の絶対値（＋電圧）を、単に「Ｐ−Ｅ電圧」と呼ぶことがある。また、Ｐ相端子２とＮ相端子３との間の電位差の絶対値（＋電圧）を、単に「Ｐ−Ｎ電圧」と呼ぶことがある。
【００２８】
最初に、地絡位置検出装置１００が、地絡抵抗Ｒｇの大きさを算出する方法について説明する。
まず、コントローラ部１４０は、スイッチ部１１０により抵抗１７１を接地端子１０２に接続する。これにより、ストリング１のＮ相端子３が抵抗１７１を介して接地される。
Ｎ相端子３が抵抗１７１を介して接地されると、ストリング１のＮ−Ｅ電圧により、抵抗１７１には、電流ＩＲ１が矢印の示す方向流れる。これにより、抵抗１７１の抵抗値をＲ１とすれば、Ｎ−Ｅ電圧と、地絡抵抗Ｒｇと、抵抗１７１に流れる電流ＩＲ１との間には、下記の式（１）が成立する。
（Ｎ−Ｅ電圧）＝（Ｒ１＋Ｒｇ）ＩＲ１  ・・・（１）
【００２９】
次に、コントローラ部１４０は、スイッチ部１１０により抵抗１７２を接地端子１０２に接続する。これにより、ストリング１のＮ相端子３が抵抗１７２を介して接地される。
Ｎ相端子３が抵抗１７２を介して接地されると、抵抗１７２には、ストリング１のＮ−Ｅ電圧により、電流ＩＲ２が矢印の示す方向に流れる。これにより、抵抗１７２の抵抗値をＲ２とすれば、Ｎ−Ｅ電圧と、地絡抵抗Ｒｇと、抵抗１７２に流れる電流ＩＲ２との間には、下記の式（２）が成立する。
（Ｎ−Ｅ電圧）＝（Ｒ２＋Ｒｇ）ＩＲ２  ・・・（２）
【００３０】
そして、式（１）及び式（２）から、
（Ｒ１＋Ｒｇ）ＩＲ１＝（Ｒ２＋Ｒｇ）ＩＲ２  ・・・（３）、
が得られる。
【００３１】
そして、式（３）から、
Ｒｇ＝（Ｒ２・ＩＲ２−Ｒ１・ＩＲ１）／（ＩＲ１−ＩＲ２）  ・・・（４）、
が得られる。
この式（４）により、コントローラ部１４０は、抵抗１７１の抵抗値Ｒ１と、抵抗１７２の抵抗値Ｒ２と、電流ＩＲ１の電流値と、電流ＩＲ２の電流値と、に基づいて、地絡抵抗Ｒｇの値を算出することができる。
これにより、地絡位置検出装置１００では、算出した地絡抵抗Ｒｇの値を、所定の判定基準と比較して、ストリング１に地絡事故が発生しているか否かを判定することができる。例えば、電気設備基準では、ＤＣ７５０Ｖ以下の低圧電路において、対地間絶縁抵抗が０．４ＭΩ以上であることが判定基準として規定されている。地絡位置検出装置１００では、算出した地絡抵抗Ｒｇの値が０．４ＭΩ以上であるか否かを判定することにより、ストリング１に地絡事故が発生しているか否かを判定することができる。
【００３２】
次に、ストリング１において地絡事故が発生した位置を検出する方法について説明する。
このストリング１における地絡事故が発生した位置を検出するために、地絡位置検出装置１００は、電圧検出部１３０により、接地端子１０２と第１測定端子１０１との間の電圧ＶＮＥを検出する。
【００３３】
そして、Ｎ相端子３のアースＥに対する電圧ＶＮＥを測定することにより、Ｎ−Ｅ電圧は、
（Ｎ−Ｅ電圧）＝ＶＮＥ＋（ＩＲ１・Ｒｇ）  ・・・（５）、
＝ＶＮＥ＋（ＩＲ２・Ｒｇ）  ・・・（６）、
により算出される。
【００３４】
そして、ＰＶパネル１０の１枚当りのパネル平均電圧Ｖａｖ１とすると、
地絡事故位置の算出は、Ｎ相端子３を起点とすれば、
（Ｎ−Ｅ電圧）／Ｖａｖ１  ・・・（７）、
に基づいて算出することができる。
なお、パネル平均電圧Ｖａｖ１は、予めＰＶパネルの発電電圧仕様として与えられた数値を使用することができる。
【００３５】
以上説明したように、地絡位置検出装置１００では、電流ＩＲ１の電流値と、電流ＩＲ２の電流値と、抵抗１７１の抵抗値Ｒ１と、抵抗１７２の抵抗値Ｒ２と、により、式（４）に基づいて、地絡抵抗Ｒｇの値を算出することができる。
また、地絡位置検出装置１００は、電流ＩＲ１の電流値と、地絡抵抗Ｒｇの値と、電圧検出部１３０により検出した電圧ＶＮＥの電圧値とにより、式（５）及び式（７）に基づいて、ストリング１において地絡事故が発生した位置を検出することができる。
【００３６】
なお、本実施形態の地絡位置検出装置１００では、アースＥに対するＮ相端子３の電圧に基づいて、地絡事故が発生した位置を検出しているが、これに限定されず、アースＥに対するＰ相端子２の電圧に基づいて、地絡事故が発生した位置を検出することもできる。
例えば、図３は、第１測定端子１０１をストリング１のＰ相端子２に接続する例を示す説明図である。この図３に示す例は、図２に示す例と比較すると、第１測定端子１０１をストリング１のＰ相端子２に接続した点だけが異なる。
【００３７】
この図３に示す例では、電圧検出部１３０が、第２測定端子１０３と接地端子１０２との間の電圧ＶＰＥを検出する。なお、この電圧ＶＰＥは、電圧検出部１３０により、第１測定端子１０１と接地端子１０２との間の電位差の絶対値（＋電圧）として検出される。
そして、図３に示す例では、上記の式（１）から式（７）において、Ｎ−Ｅ電圧がＰ−Ｅ電圧に置き換えられ、電圧ＶＮＥが電圧ＶＰＥに置き換えられて計算される。他の点については、図２の場合と同様である。このため、重複する説明は省略する。
これにより、地絡位置検出装置１００では、第１測定端子１０１をストリング１のＰ相端子２に接続して、アースＥに対するＰ相端子２の電圧に基づいて、地絡事故が発生した位置を検出することができる。
【００３８】
次に、図４を参照して、コントローラ部１４０のハードウェア構成について説明する。図４は、コントローラ部１４０のハードウェア構成の一例を示す構成図である。コントローラ部１４０は、例えば、ＣＰＵ（Central  Processing  Unit）１４１と、記憶部１４２と、入力受付部１４３と、通信部１４４と、表示部１４５と、を備える。これらの構成要素は、バスＢｕｓを介して相互に通信可能に接続されている。ＣＰＵ１４１は、記憶部１４２に格納された各種プログラムを実行する。
【００３９】
記憶部１４２は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）などを含み、コントローラ部１４０が処理する各種情報やプログラム等を格納する。
【００４０】
入力受付部１４３は、例えば、キーボードやマウス、タッチパッド等や、その他の入力装置である。なお、入力受付部１４３は、タッチパネルとして表示部１４５と一体に構成されてもよい。
この入力受付部１４３により、地絡位置検出装置１００における地絡事故が発生した位置の検出処理を開始する指令が入力される。また、この入力受付部１４３により、ストリング１の構成情報等入力され、この構成情報等は、記憶部１４２に記憶される。例えば、構成情報は、ストリング１のＰＶパネル１０の枚数や、ストリング１及び各ＰＶパネル１０の発電量や発電電圧の仕様等の情報である。
【００４１】
通信部１４４は、例えば、ＵＳＢ等のデジタル入出力ポートやイーサネット（登録商標）ポート等を含んで構成される。
表示部１４５は、例えば、液晶ディスプレイパネル、あるいは、有機ＥＬ（ElectroLuminescence）ディスプレイパネルである。
【００４２】
次に、図５を参照して、コントローラ部１４０の機能構成について説明する。図５は、コントローラ部１４０の機能構成の一例を示す構成図である。コントローラ部１４０は、記憶部１４２と、入力受付部１４３と、表示部１４５と、地絡検出制御部１５０と、を備える。地絡検出制御部１５０が備える機能部のうち一部又は全部は、例えば、ＣＰＵ１４１が、記憶部１４２に記憶された各種プログラムを実行することで実現される。また、これらの機能部のうち一部または全部は、ＬＳＩ（Large  Scale  Integration）やＡＳＩＣ（Application  Specific  Integrated  Circuit）等のハードウェア機能部であってもよい。
【００４３】
地絡検出制御部１５０は、地絡位置検出装置１００における地絡位置の検出処理を制御する。地絡検出制御部１５０は、スイッチ切替部１５１と、電流値取得部１５２と、電圧値取得部１５３と、地絡抵抗算出部１５４と、地絡位置算出部１５５と、表示制御部１５６と、を備える。
【００４４】
スイッチ切替部１５１は、スイッチ部１１０に制御信号ＣＮＴを出力することにより、切替スイッチＳＷの共通接点ｃと、接点ａと、接点ｂとの間の導通状態を制御する。例えば、スイッチ切替部１５１は、共通接点ｃと接点ａとの間をＯＮにすることを指示する制御信号ＣＮＴをスイッチ部１１０に出力する。スイッチ部１１０は、スイッチ切替部１５１から入力した制御信号ＣＮＴが指示する内容に基づいて、切替スイッチＳＷの共通接点ｃと接点ａとの間をＯＮにする。
また、スイッチ切替部１５１は、共通接点ｃと接点ｂとの間をＯＮにすることを指示する制御信号ＣＮＴをスイッチ部１１０に出力する。スイッチ部１１０は、スイッチ切替部１５１から入力した制御信号ＣＮＴが指示する内容に基づいて、切替スイッチＳＷの共通接点ｃと接点ｂとの間をＯＮにする。
【００４５】
電流値取得部１５２は、電流検出部１２０から電流検出信号Ｉｓを入力し、この電流検出信号Ｉｓに基づいて、抵抗１７１に流れる電流ＩＲ１の情報と、抵抗１７２に流れる電流ＩＲ２の情報とを取得する。電流値取得部１５２は、電流ＩＲ１の情報と、電流ＩＲ２の情報と、を記憶部１４２に記憶する。なお、記憶部１４２には、抵抗１７１の抵抗値Ｒ１の情報と、抵抗１７２の抵抗値Ｒ２の情報と、ストリング１の構成情報（例えば、ＰＶパネルの枚数や発電電圧等の情報）と、が記憶されている。
電圧値取得部１５３は、電圧検出部１３０から電圧検出信号Ｖｓを入力し、この電圧検出信号Ｖｓに基づいて、アースＥとＮ相端子３との間の電圧ＶＮＥの情報を取得する。電圧値取得部１５３は、電圧ＶＮＥの情報を記憶部１４２に記憶する。
【００４６】
地絡抵抗算出部１５４は、記憶部１４２に記憶された抵抗１７１の抵抗値Ｒ１の情報と、抵抗１７２の抵抗値Ｒ２の情報と、抵抗１７１に流れる電流ＩＲ１の情報と、抵抗１７２に流れる電流ＩＲ２の情報と、を参照して、上記の式（４）に基づいて、地絡抵抗Ｒｇの値を算出する。地絡抵抗算出部１５４は、算出した地絡抵抗Ｒｇの情報を記憶部１４２に記憶する。
なお、地絡抵抗算出部１５４は、算出した地絡抵抗Ｒｇの値を所定の判定基準値（例えば、上記の０．４ＭΩ）と比較して、ストリング１に地絡事故が発生しているか否かを判定するようにしてもよい。
【００４７】
地絡位置算出部１５５は、記憶部１４２に記憶された電流ＩＲ１の情報と、地絡抵抗Ｒｇの情報と、電圧検出部１３０により検出した電圧ＶＮＥの情報と、を参照し、上記の式（５）及び式（７）に基づいて、ストリング１において地絡事故が発生した位置を算出する。地絡位置算出部１５５は、算出した地絡事故の発生位置の情報を、記憶部１４２に記憶する。
【００４８】
表示制御部１５６は、地絡事故の発生位置の検出処理に係る表示情報を生成し、生成された表示情報を表示するように表示部１４５を制御する。この表示情報には、例えば、地絡抵抗Ｒｇの算出結果や、地絡事故の発生位置の検出結果を示す情報等が含まれる。
【００４９】
また、図６は、コントローラ部１４０が地絡事故が発生した位置を検出する処理の流れの一例を示すフローチャートである。この地絡事故が発生した位置を検出する処理は、コントローラ部１４０内の地絡検出制御部１５０により制御される。
なお、地絡位置検出装置１００を使用して地絡事故が発生した位置を検出する際に、測定者は、開閉器３１及び開閉器３２のそれぞれをＯＦＦにして、ストリング１とＰＣＳ２０との接続を遮断しているものとする。
【００５０】
最初に、接地端子１０２をアースＥに接地し、次に、第１測定端子１０１をストリング１のＮ相端子３に接続した後に、地絡位置検出装置１００は、地絡事故が発生した位置の検出処理を開始する（ステップＳ１０）。
【００５１】
続いて、コントローラ部１４０は、地絡検出制御部１５０内のスイッチ切替部１５１により、スイッチ部１１０に対して、切替スイッチＳＷの共通接点ｃと接点ａとをＯＮにすることを指示する制御信号ＣＮＴを出力する。スイッチ部１１０は、制御信号ＣＮＴの指示に従い、共通接点ｃと接点ａとをＯＮにする。これにより、切替スイッチＳＷの共通接点ｃと接点ａとがＯＮになり、抵抗１７１と接地端子１０２とが接続される。そして、第１測定端子１０１が抵抗１７１及び接地端子１０２を介して接地されることにより、抵抗１７１には、Ｎ−Ｅ電圧に基づいて、電流ＩＲ１が流れる（ステップＳ２０）。
【００５２】
続いて、電流値取得部１５２は、電流検出部１２０から電流検出信号Ｉｓを入力して、抵抗１７１に流れる電流ＩＲ１の電流値の情報を取得する。電流値取得部１５２は、電流ＩＲ１の電流値の情報を記憶部１４２に記憶する（ステップＳ３０）。
【００５３】
続いて、スイッチ切替部１５１は、スイッチ部１１０に対して、切替スイッチＳＷの共通接点ｃと接点ｂとをＯＮにすることを指示する制御信号ＣＮＴを出力する。スイッチ部１１０は、制御信号ＣＮＴの指示に従い、切替スイッチＳＷの共通接点ｃと接点ｂとをＯＮにする。これにより、切替スイッチＳＷの共通接点ｃと接点ｂとがＯＮになり、抵抗１７２と接地端子１０２とが接続される。そして、第１測定端子１０１が抵抗１７２及び接地端子１０２を介して接地されることにより、抵抗１７２には、Ｎ−Ｅ電圧に基づいて、電流ＩＲ２が流れる（ステップＳ４０）。
【００５４】
続いて、電流値取得部１５２は、電流検出部１２０から電流検出信号Ｉｓを入力して、抵抗１７２に流れる電流ＩＲ２の電流値の情報を取得する。電流値取得部１５２は、電流ＩＲ２の電流値の情報を記憶部１４２に記憶する（ステップＳ５０）。
【００５５】
続いて、地絡抵抗算出部１５４は、記憶部１４２に記憶された抵抗１７１の抵抗値Ｒ１の情報と、抵抗１７２の抵抗値Ｒ２の情報と、電流ＩＲ１の電流値の情報と、電流ＩＲ２の電流値の情報と、を参照する。そして、地絡抵抗算出部１５４は、上記の式（４）に基づいて、地絡抵抗Ｒｇの値を算出する。地絡抵抗算出部１５４は、算出した地絡抵抗Ｒｇの情報を記憶部１４２に記憶する（ステップＳ６０）。
【００５６】
続いて、電圧値取得部１５３は、電圧検出部１３０から電圧検出信号Ｖｓの情報を入力し、この電圧検出信号Ｖｓの情報に基づいて、アースＥの電位（接地電位）とＮ相端子３との間の電圧ＶＮＥの情報を取得する。電圧値取得部１５３は、電圧ＶＮＥの情報を記憶部１４２に記憶する（ステップＳ７０）。
【００５７】
続いて、地絡位置算出部１５５は、記憶部１４２に記憶された電流ＩＲ１の電流値の情報と、地絡抵抗Ｒｇの値の情報と、電圧ＶＮＥの電圧値の情報と、を参照し、上記の式（５）及び式（７）に基づいて、ストリング１において地絡事故が発生した位置を算出する。地絡位置算出部１５５は、算出した地絡事故の発生位置を示す情報を、記憶部１４２に記憶する（ステップＳ８０）。
【００５８】
続いて、表示制御部１５６は、地絡事故が発生した位置を示す表示情報を生成して、表示部１４５に表示する（ステップＳ９０）。
上記ステップＳ１０からステップＳ９０に示す手順を実行することにより、地絡位置検出装置１００は、複数のＰＶパネルが直列に接続されたストリング１において、地絡事故が発生した位置を容易に検出することができる。
【００５９】
このように、地絡位置検出装置１００は、第１測定端子１０１がＮ相端子３に接続され、接地端子１０２がアースＥに接地された後、ストリング１において地絡事故が発生した位置や、地絡事故が発生したＰＶパネルの位置を、自動で検出して表示することができる。
【００６０】
以上説明したように、本実施形態の地絡位置検出装置１００は、複数のＰＶパネル１０（太陽電池パネル）が直列に接続されるストリング１（太陽電池ストリング）の正極側及び負極側の両端子（Ｐ相端子２及びＮ相端子３）の何れか一方の端子に接続する第１測定端子１０１と、アースに接地させる接地端子１０２と、互いに抵抗値が異なる抵抗１７１及び抵抗１７２（第１抵抗及び第２抵抗）と、第１測定端子１０１を抵抗１７１を介して接地端子１０２に接続するか、又は、第１測定端子１０１を抵抗１７２を介して接地端子１０２に接続するかを切り替えるスイッチ部１１０と、第１測定端子１０１を抵抗１７１を介して接地端子１０２に接続した場合に当該抵抗１７１に流れる電流ＩＲ１（第１電流）を検出するとともに、第１測定端子１０１を抵抗１７２を介して接地端子１０２に接続した場合に当該抵抗１７２に流れる電流ＩＲ２（第２電流）を検出する電流検出部１２０と、第１測定端子１０１と接地端子１０２との間の電圧ＶＮＥを検出する電圧検出部１３０と、スイッチ部１１０の切替え動作を制御するとともに、第１測定端子１０１と接地端子１０２との間の電圧ＶＮＥ、電流ＩＲ１、及び電流ＩＲ２に基づいて、ストリング１において地絡事故が発生した位置を検出するコントローラ部１４０（制御部）と、を備える。
【００６１】
このような構成の地絡位置検出装置１００であれば、例えば、ストリング１（太陽電池ストリング）のＮ相端子３に第１測定端子１０１を接続し、接地端子１０２をアースに接地した後に、地絡位置検出装置１００は、地絡事故が発生した位置の検出処理を開始する。そして、スイッチ部１１０は、第１測定端子１０１を互いに抵抗値の異なる抵抗１７１（第１抵抗）及び抵抗１７２（第２抵抗）を介して交互に接地端子１０２に接続する。つまり、スイッチ部１１０は、第１測定端子１０１を抵抗１７１を介して接地するか、又は、第１測定端子１０１を抵抗１７２を介して接地するかを切り替える。
そして、電流検出部１２０は、第１測定端子１０１を抵抗１７１により接地した場合に当該抵抗に流れる電流ＩＲ１（第１電流）と、第１測定端子１０１を抵抗１７２により接地した場合に当該抵抗に流れる電流ＩＲ２（第２電流）と、を検出する。また、電圧検出部１３０は、第１測定端子１０１と接地端子１０２との間の電圧ＶＮＥを検出する。
そして、コントローラ部１４０（制御部）は、第１測定端子１０１と接地端子１０２との間の電圧ＶＮＥと、電流ＩＲ１（第１電流）と、電流ＩＲ２（第２電流）と、に基づいて、上記の式（１）から式（７）により、ストリング１において地絡事故が発生した位置を検出する。
これにより、本実施形態の地絡位置検出装置１００は、複数のＰＶパネル１０（太陽電池パネル）が直列に接続されたストリング１（太陽電池ストリング）において、地絡事故が発生した位置を容易に検出することができる。
【００６２】
また、上記実施形態において、コントローラ部１４０（制御部）は、抵抗１７１（第１抵抗）の抵抗値Ｒ１、抵抗１７２（第２抵抗）の抵抗値Ｒ２、ＩＲ１（第１電流）の電流値、及びＩＲ２（第２電流）の電流値に基づいて、ストリング１（太陽電池ストリング）における地絡抵抗Ｒｇの値を算出する。
このような構成の地絡位置検出装置１００であれば、コントローラ部１４０（制御部）は、抵抗１７１（第１抵抗）の抵抗値Ｒ１、抵抗１７２（第２抵抗）の抵抗値Ｒ２、ＩＲ１（第１電流）の電流値、及びＩＲ２（第２電流）の電流値に基づいて、上記の式（４）により、地絡抵抗Ｒｇの値を算出する。
これにより、地絡位置検出装置１００は、ストリング１において、地絡抵抗Ｒｇの値を算出して、ストリング１に地絡事故が発生しているか否かを判定することができる。
【００６３】
［第２実施形態］
第１実施形態の地絡位置検出装置１００では、第１測定端子１０１を抵抗１７１を介して接地するか、又は、第１測定端子１０１を抵抗１７２を介して接地するか、の切り替えを自動で行うとともに、地絡事故が発生した位置の算出を自動で行う例について説明した。
本発明の第２実施形態では、抵抗１７１と抵抗１７２との切り替えを手動で行うとともに、地絡事故が発生した位置の算出を、測定者自身が行う例について説明する。
【００６４】
図７は、本発明の第２実施形態に係わる地絡位置検出装置１００Ａの構成を示す構成図である。この図に示す地絡位置検出装置１００Ａは、図１に示す地絡位置検出装置１００と比較すると、コントローラ部１４０を省略した点が異なる。また、地絡位置検出装置１００Ａでは、スイッチ部１１０を手動切替スイッチ１１０Ａに変更した点と、電流検出部１２０をデジタル表示式の電流計１２０Ａに変更した点と、電圧検出部１３０を、デジタル表示式の電圧計１３０Ａに変更した点と、が地絡位置検出装置１００と異なる。
【００６５】
この第２実施形態の地絡位置検出装置１００Ａでは、測定者自身が、手動切替スイッチ１１０Ａを手動で操作することにより、第１測定端子１０１を抵抗１７１を介して接地するか、又は、第１測定端子１０１を抵抗１７２を介して接地するか、の切り替えを行う。そして、測定者は、第１測定端子１０１を抵抗１７１を介して接地した場合の電流計１２０Ａに表示された第１電流ＩＲ１の電流値を自身で読み取り記録する。また、測定者は、第１測定端子１０１を抵抗１７２を介して接地した場合の電流計１２０Ａに表示された第２電流ＩＲ２の電流値を自身で読み取り記録する。また、測定者は、電圧計１３０Ａに表示された電圧ＶＮＥの電圧値を自身で読み取り記録する。
【００６６】
そして、測定者は、第１電流ＩＲ１の電流値と、第２電流ＩＲ２の電流値と、電圧ＶＮＥの電圧値とに基づいて、上記の式（４）、式（５）、及び式（７）おける計算を自らが行い、ストリング１において地絡事故が発生した位置を算出する。
【００６７】
このように、地絡位置検出装置１００Ａでは、手動切替スイッチ１１０Ａによる抵抗１７１と抵抗１７２の切り替え操作や、式（４）、式（５）、及び式（７）における計算等を測定者自身で行う必要があるが、回路構成を大幅に簡略化できる利点がある。
【００６８】
［第３実施形態］
第１実施形態の地絡位置検出装置１００では、上記の式（７）により地絡事故が発生した位置を算出する際に、パネル平均電圧Ｖａｖ１として予め記憶部１４２に記憶した数値を用いている。しかしながら、ＰＶパネル１０の実際の発電電圧は、ＰＶパネル１０に照射される太陽光の光量に応じて変化する。
本発明の第３実施形態では、ＰＶパネル１０の実際の発電電圧に基づいて、パネル平均電圧Ｖａｖ２を算出する例について説明する。
【００６９】
図８は、本発明の第３実施形態に係わる地絡位置検出装置１００Ｂの構成を示す構成図である。この図８に示す地絡位置検出装置１００Ｂは、図１に示す地絡位置検出装置１００と比較すると、第２測定端子１０３を新たに追加した点と、電圧検出部１３０を電圧検出部１３０Ｂに変更した点と、コントローラ部１４０をコントローラ部１４０Ｂに変更した点と、が異なる。他の構成は、図１に示す地絡位置検出装置１００と同様である。このため、同一の構成部分には同一の符号を付し、重複する説明は省略する。
【００７０】
本実施形態の地絡位置検出装置１００Ｂにおいて、第２測定端子１０３は、テストリード１０３Ａを介して、ストリング１のＰ相端子２に接続される。
そして、電圧検出部１３０Ｂは、第１測定端子１０１と接地端子１０２との間の電圧ＶＮＥを検出するとともに、第２測定端子１０３と第１測定端子１０１との間の電圧ＶＰＮを検出する。この電圧ＶＰＮは、ストリング１のＰ相端子２とＮ相端子３との間のＰ−Ｎ電圧である。そして、電圧ＶＰＮは、電圧ＶＮＥと同様にして、第２測定端子１０３と第１測定端子１０１との間の電位差の絶対値（＋電圧）として検出される。
即ち、電圧検出部１３０Ｂは、電圧ＶＰＮを抵抗分圧回路等により分圧し、この分圧された電圧信号をＡ／Ｄ変換してデジタル値の電圧検出信号Ｖｓｐを生成する。電圧検出部１３０Ｂは、この電圧ＶＰＮの電圧検出信号Ｖｓｐを、電圧ＶＮＥの電圧検出信号Ｖｓとともに、コントローラ部１４０Ｂに出力する。
【００７１】
コントローラ部１４０Ｂは、電圧検出部１３０Ｂから電圧検出信号Ｖｓ及び電圧検出信号Ｖｓｐを入力する。そして、コントローラ部１４０Ｂは、電圧検出部１３０Ｂから入力した電圧検出信号Ｖｓｐ（電圧ＶＰＮの検出信号）と、ストリング１を構成するＰＶパネルのパネル枚数ｎと、に基づいて、
Ｖａｖ２＝ＶＰＮ／ｎ  ・・・（８）、
により、パネル平均電圧Ｖａｖ２を算出する。
【００７２】
そして、コントローラ部１４０Ｂは、上記の（５）式で求めたＮ−Ｅ電圧と、上記の式（８）で求めたパネル平均電圧Ｖａｖ２と、に基づいて、
（Ｎ−Ｅ電圧）／Ｖａｖ２  ・・・（９）、
により、ストリング１において地絡事故が発生した位置を算出する。
これにより、地絡位置検出装置１００Ｂは、ストリング１の地絡事故が発生した位置を算出する際に、ＰＶパネル１０の実際の発電電圧に基づいて、地絡事故が発生した位置を算出することができる。
【００７３】
また、図９は、コントローラ部１４０Ｂの機能構成の一例を示す構成図である。この図９に示す機能構成の例は、図５に示す機能構成の例と比較すると、電圧検出部１３０を電圧検出部１３０Ｂに変更した点と、コントローラ部１４０をコントローラ部１４０Ｂに変更した点と、地絡検出制御部１５０を地絡検出制御部１５０Ｂに変更した点と、が異なる。
また、地絡検出制御部１５０Ｂは、図５に示す地絡検出制御部１５０と比較すると、電圧値取得部１５３を電圧値取得部１５３Ｂに変更した点と、地絡位置算出部１５５を地絡位置算出部１５５Ｂに変更した点と、が異なる。他の構成は、図５と同様である。このため、同一の構成部分には同一の符号を付し、重複する説明は省略する。
【００７４】
地絡検出制御部１５０Ｂの電圧値取得部１５３Ｂは、電圧検出部１３０Ｂから電圧検出信号Ｖｓ及び電圧検出信号Ｖｓｐを入力する。電圧値取得部１５３Ｂは、電圧検出信号Ｖｓ及び電圧検出信号Ｖｓｐに基づいて、第１測定端子１０１と接地端子１０２との間の電圧ＶＮＥの情報と、第２測定端子１０３と第１測定端子１０１との間の電圧ＶＰＮの情報と、を取得する。電圧値取得部１５３Ｂは、電圧ＶＮＥの情報と、電圧ＶＰＮの情報と、を記憶部１４２に記憶する。
【００７５】
地絡位置算出部１５５Ｂは、記憶部１４２に記憶された電圧ＶＰＮの情報と、パネル枚数ｎの情報と、を参照し、上記の式（８）に基づいて、パネル平均電圧Ｖａｖ２を算出する。地絡位置算出部１５５Ｂは、算出したパネル平均電圧Ｖａｖ２の情報を記憶部１４２に記憶する。
そして、地絡位置算出部１５５Ｂは、記憶部１４２に記憶された電流ＩＲ１の情報と、地絡抵抗Ｒｇの情報と、電圧ＶＮＥの情報と、パネル平均電圧Ｖａｖ２の情報と、を参照し、上記の式（５）及び式（９）に基づいて、ストリング１において地絡事故が発生した位置を算出する。
【００７６】
また、図１０は、コントローラ部１４０Ｂが地絡事故が発生した位置を検出する処理の流れの一例を示すフローチャートである。この地絡事故が発生した位置を検出する処理は、コントローラ部１４０Ｂ内の地絡検出制御部１５０Ｂにより制御される。
この図１０に示すフローチャートは、図６に示すフローチャートと比較すると、ステップＳ１５と、ステップＳ７５と、ステップＳ７６とを新たに追加した点が異なる。他のステップは、図６に示すフローチャートと同様であり、同じ処理内容のステップには、同じステップ番号を付している。
【００７７】
この図１０に示すフローチャートを参照して、最初に、接地端子１０２がアースＥに接地され、次に、第１測定端子１０１がストリング１のＮ相端子３に接続され（ステップＳ１０）、第２測定端子１０３がＰ相端子２に接続される（ステップＳ１５）。その後に、コントローラ部１４０Ｂは、地絡事故が発生した位置の検出処理を開始する。
【００７８】
そして、コントローラ部１４０Ｂが地絡事故の発生位置の検出処理を開始した後、続くステップＳ１０からステップＳ６０までの処理は、図６に示すコントローラ部１４０におけるステップＳ１０からステップＳ６０までの処理と同様であり、重複する説明を省略する。
そして、ステップＳ６０において地絡抵抗Ｒｇが算出されると、続いて、地絡検出制御部１５０Ｂ内の電圧値取得部１５３Ｂは、電圧検出部１３０Ｂから電圧検出信号Ｖｓの情報を入力する。電圧値取得部１５３Ｂは、この電圧検出信号Ｖｓの情報に基づいて、第１測定端子１０１と接地端子１０２との間の電圧ＶＮＥの情報を取得する。電圧値取得部１５３Ｂは、電圧ＶＮＥの情報を記憶部１４２に記憶する（ステップＳ７０）。
【００７９】
続いて、電圧値取得部１５３Ｂは、電圧検出部１３０Ｂから電圧検出信号Ｖｓｐの情報を入力する。電圧値取得部１５３Ｂは、この電圧検出信号Ｖｓｐの情報に基づいて、第２測定端子１０３と第１測定端子１０１との間の電圧ＶＰＮの情報を取得する。電圧値取得部１５３Ｂは、電圧ＶＰＮの情報を記憶部１４２に記憶する（ステップＳ７５）。
続いて、地絡位置算出部１５５Ｂは、記憶部１４２に記憶された電圧ＶＰＮの情報と、ＰＶパネルのパネル枚数ｎの情報と、を参照し、上記の式（８）に基づいて、パネル平均電圧Ｖａｖ２を算出する。地絡位置算出部１５５Ｂは、算出したパネル平均電圧Ｖａｖ２の情報を記憶部１４２に記憶する（ステップＳ７６）。
【００８０】
続いて、地絡位置算出部１５５Ｂは、記憶部１４２に記憶された電流ＩＲ１の情報と、地絡抵抗Ｒｇの情報と、電圧ＶＮＥの情報と、パネル平均電圧Ｖａｖ２の情報と、を参照し、上記の式（５）及び式（９）に基づいて、ストリング１において地絡事故が発生した位置を算出する。地絡位置算出部１５５Ｂは、算出した地絡事故の発生位置を示す情報を、記憶部１４２に記憶する（ステップＳ８０）。
続いて、表示制御部１５６は、地絡事故が発生した位置を示す表示情報を生成して、表示部１４５に表示する（ステップＳ９０）。
【００８１】
以上説明したように、地絡位置検出装置１００Ｂは、ストリング１（太陽電池ストリング）の正極側及び負極側の両端子（Ｐ相端子２及びＮ相端子３）のＰ相端子２（他方の端子）に接続する第２測定端子１０３をさらに備え、電圧検出部１３０Ｂは、第１測定端子１０１と接地端子１０２との間の電圧ＶＮＥを検出するとともに、第２測定端子１０３と第１測定端子１０１との間の電圧ＶＰＮを検出し、コントローラ部１４０Ｂ（制御部）は、第２測定端子と第１測定端子との間の電圧ＶＰＮ、第１測定端子１０１と接地端子１０２との間の電圧ＶＮＥ、電流ＩＲ１（第１電流）、及び電流ＩＲ２（第２電流）に基づいて、ストリング１において地絡事故が発生した位置を検出する。
【００８２】
このような構成の地絡位置検出装置１００Ｂであれば、図８に示すように、第１測定端子１０１をストリング１のＮ相端子３に接続し、第２測定端子１０３をストリング１のＰ相端子２に接続し、接地端子１０２をアースＥに接地する。そして、電圧検出部１３０Ｂは、第１測定端子１０１と接地端子１０２との間の電圧ＶＮＥと、第２測定端子１０３と第１測定端子１０１との間の電圧ＶＰＮと、を検出する。
そして、コントローラ部１４０Ｂ（制御部）は、ＰＶパネル１０の１枚当りのパネル平均電圧Ｖａｖ２を、第２測定端子１０３と第１測定端子１０１との間の電圧ＶＰＮと、ＰＶパネル１０のパネル枚数ｎと、に基づいて、上記の式（８）により算出する。
そして、コントローラ部１４０Ｂは、Ｎ相端子３を起点とすれば、パネル平均電圧Ｖａｖ２に基づいて、上記の式（９）により、ストリング１において地絡事故が発生した位置を算出する。
これにより、地絡位置検出装置１００Ｂは、ＰＶパネル１０の実際の発電電圧に基づいてパネル平均電圧Ｖａｖ２を算出し、このパネル平均電圧Ｖａｖ２を用いて、上記の式（９）により、ストリング１において地絡事故が発生した位置を検出することができる。
【００８３】
以上、本発明の実施の形態について説明したが、本発明の地絡位置検出装置は、上述の図示例にのみに限定されるものではなく、本発明の要旨を逸脱しない範囲内において種々変更を加え得ることは勿論である。
【符号の説明】
【００８４】
１・・・ストリング（太陽電池ストリング）、
１０，１１，１２，１３，１ｎ・・・ＰＶパネル（太陽電池パネル）、
３１，３２・・・開閉器、１００，１００Ａ，１００Ｂ・・・地絡位置検出装置、
１０１・・・第１測定端子、１０２・・・接地端子、
１０３・・・第２測定端子、１１０・・・スイッチ部、
１２０・・・電流検出部、１３０，１３０Ｂ・・・電圧検出部、
１４０，１４０Ｂ・・・コントローラ部（制御部）、
１５０，１５０Ｂ・・・地絡検出制御部、
１７１・・・抵抗（第１抵抗）、１７２・・・抵抗（第２抵抗）、
ＩＲ１・・・電流（第１電流）、ＩＲ２・・・電流（第２電流）、
ＶＮＥ・・・第１測定端子と接地端子との間の電圧、
ＶＰＮ・・・第１測定端子と第２測定端子との間の電圧
【図１】
2016103918.tif 000003
【図２】
2016103918.tif 000004
【図３】
2016103918.tif 000005
【図４】
2016103918.tif 000006
【図５】
2016103918.tif 000007
【図６】
2016103918.tif 000008
【図７】
2016103918.tif 000009
【図８】
2016103918.tif 000010
【図９】
2016103918.tif 000011
【図１０】
2016103918.tif 000012